(57)【要約】【課題】玄関等の住居内の壁面あるいは引戸等の扉面に設置することができ、壁面あるいは引戸等の扉面からの厚みが小さく、小物の整頓機能を有し、例えば玄関で全身のコーディネートを確認でき、かつ玄関に相応しい美観を有する機能ボードを提供する。【解決手段】住居内の鉛直面５（例えば壁面）に取り付けられ、表面が化粧鋼板１４ａからなり、全体として等身大の高さで鉛直面５に取り付けられた１又は複数の化粧パネル１４と、化粧パネル１４の上端水平部に隣接して鉛直面５に取り付けられ、鉛直面５に沿って水平に延び、小物を吊下げるフック１７を取り付け可能なフック取付けレール１６と、を備える。さらに、化粧パネル全体の高さ範囲において隣接して鉛直面５に取り付けられ、全身のコーディネートを確認できる幅と高さを有する全身鏡１２を備える。【選択図】図１
0003191777.tif 000002
【実用新案登録請求の範囲】
【請求項１】
住居内の鉛直面に取り付けられ、
表面が化粧鋼板からなり、全体として等身大の高さで前記鉛直面に取り付けられた１又は複数の化粧パネルと、
前記化粧パネルの上端水平部に隣接して前記鉛直面に取り付けられ、前記鉛直面に沿って水平に延び、小物を吊下げる複数のフックを取り付け可能な１又は複数のフック取付けレールと、を備えた、ことを特徴とする機能ボード。
【請求項２】
さらに、化粧パネル全体の高さ範囲において隣接して前記鉛直面に取り付けられ、全身のコーディネートを確認できる幅と高さを有する全身鏡を備える、ことを特徴とする請求項１に記載の機能ボード。
【請求項３】
前記化粧パネルは、矩形形状のケイカル板と、該ケイカル板の裏面を除く外面を一体で囲む化粧鋼板とからなり、
前記化粧鋼板は、前記ケイカル板の上端面を囲む化粧鋼板の部分から前記鉛直面に沿って上方に延びる張出部を有する、ことを特徴とする請求項１に記載の機能ボード。
【請求項４】
前記フック取付けレールは、前記張出部に重ねてその上に位置しており、前記張出部と共に前記鉛直面にねじ止めされている、ことを特徴とする請求項３に記載の機能ボード。
【請求項５】
前記全身鏡と前記化粧パネルの間、及び前記全身鏡と前記化粧パネルの幅方向外端に位置し、前記鉛直面に沿って鉛直に固定された見切り材を有する、ことを特徴とする請求項２に記載の機能ボード。
【請求項６】
前記全身鏡と前記化粧パネルは、発泡プラスチック製の両面テープとシリコン製の接着剤により、前記鉛直面に取り付けられる、ことを特徴とする請求項２に記載の機能ボード。
【考案の詳細な説明】
【技術分野】
【０００１】
本考案は、玄関等の住居内の壁面あるいは引戸等の扉面に設置する機能ボードに関する。
【背景技術】
【０００２】
壁面に設置する壁面家具として、本棚、食器棚などの収納棚が従来から広く用いられている。しかしこれらの壁面家具は、壁面からの厚みが大きい（例えば１００〜２００ｍｍ）ため、玄関等には通常不向きである。
一方、厚みが小さい壁面ボードとして、例えば特許文献１〜５が既に開示されている。
【０００３】
特許文献１の「脱着性壁面パネル」は、基材の裏面に具備されている脱着性固定装置を介して、壁面と壁面パネルとが脱着可能に固定できるものである。
【０００４】
特許文献２の「建築物の壁面構造」は、壁面に鉄板等からなる強磁性体を埋め込み、絵画等の装飾品あるいはポスター等を磁石で壁に固定するものである。
【０００５】
特許文献３の「意匠組合せパネル」は、背景シートが貼付され内部に鉄板シートを内蔵するマウント部と、個別意匠シートが貼着され裏面に磁石が埋め込まれた小型のモジュールパネルとを備えるものである。
【０００６】
特許文献４の「ポスター等の展示板の止め装置」は、コンクリート型枠止め具の抜け穴と、この抜け穴に挿着されている鉄板と、この鉄板と共にポスターを挟持固定する磁石とからなり、磁石の磁気力によってポスターをコンクリート壁面に止めるものである。
【０００７】
特許文献５の「掲示板、および、掲示方法」は、上枠と縦枠と下枠を結合して枠体を形成し、形成した枠体を壁面に取り付け、壁面に取り付けられた枠体にパネルを装着し、パネルの表面にポスターを貼着して掲示するものである。
【先行技術文献】
【特許文献】
【０００８】
【特許文献１】特開２０１１−４２９６１号公報
【特許文献２】特開２００４−７６５３８号公報
【特許文献３】実用新案登録第３１４５４９６号公報
【特許文献４】実開平７−２６８８４号公報
【特許文献５】特開平１０−１１６０４５号公報
【考案の概要】
【考案が解決しようとする課題】
【０００９】
マンション等の集合住宅においては、限られたスペースの中で間取りが構成されており、各部の機能性を含めて如何に効率よく計画するかが重要であり、特に玄関は限られたスペースだが、住戸の顔であり、生活導線の拠点でもある。
そのため、玄関は「飾るスペース」であると共に、下足入れに入れたくない物（例えば、帽子、靴べら、子供用品）の整頓機能や、靴を履いて全身のコーディネートを確認できる全身鏡等の設置が要望されていた。
【００１０】
このことは、納戸とも言われるウォークインクロゼットでも同様で、日常的に使う物（愛用の帽子や羽織着など）を壁面に掛けて置いたり、ちょっとしたメモ（旅行など外出の際に携帯するもののメモなど）貼り付けられるスペースがあれば便利であり、さらには、身だしなみをチェックする鏡があると便利である
もっと簡易な用途としては、個室の扉、特に引戸部分に、日常的に使う物を掛けて置いたり、ちょっとしたメモ貼り付けられるスペース、身だしなみをチェックする鏡が付いていれば、部屋のスペースの有効活用にもなる。
【００１１】
本考案は上述した要望を満たすために創案されたものである。すなわち本考案の目的は、玄関等の住居内の壁面あるいは引戸等の扉面に設置することができ、壁面あるいは引戸等の扉面からの厚みが小さく、小物の整頓機能を有し、例えば玄関で全身のコーディネートを確認でき、かつ玄関に相応しい美観を有する機能ボードを提供することにある。
【課題を解決するための手段】
【００１２】
本考案によれば、住居内の鉛直面に取り付けられ、
表面が化粧鋼板からなり、全体として等身大の高さで前記鉛直面に取り付けられた１又は複数の化粧パネルと、
前記化粧パネルの上端水平部に隣接して前記鉛直面に取り付けられ、前記鉛直面に沿って水平に延び、小物を吊下げる複数のフックを取り付け可能な１又は複数のフック取付けレールと、を備えた、ことを特徴とする機能ボードが提供される。
【００１３】
さらに、化粧パネル全体の高さ範囲において隣接して前記鉛直面に取り付けられ、全身のコーディネートを確認できる幅と高さを有する全身鏡を備える。
【００１４】
前記化粧パネルは、矩形形状のケイカル板と、該ケイカル板の裏面を除く外面を一体で囲む化粧鋼板とからなり、
前記化粧鋼板は、前記ケイカル板の上端面を囲む化粧鋼板の部分から前記鉛直面に沿って上方に延びる張出部を有する。
【００１５】
前記フック取付けレールは、前記張出部に重ねてその上に位置しており、前記張出部と共に前記鉛直面にねじ止めされている。
【００１６】
前記全身鏡と前記化粧パネルの間、及び前記全身鏡と前記化粧パネルの幅方向外端に位置し、前記鉛直面に沿って鉛直に固定された見切り材を有する。
【００１７】
前記全身鏡と前記化粧パネルは、発泡プラスチック製の両面テープとシリコン製の接着剤により、前記鉛直面に取り付けられる。
【考案の効果】
【００１８】
上記本考案の構成によれば、表面が化粧鋼板からなる化粧パネルを備えているので、マグネットを用いて写真やメモなどを貼って玄関等を飾ることができる。さらに、化粧鋼板は内装家具との色柄合わせが可能である。
さらに、フック取付けレールを備えているので、コート、帽子、靴べら、日傘、子供用品などを掛けることができる。
【００１９】
また、住居内の鉛直面（例えば、玄関の壁面）に取り付けられた機能ボードに全身鏡を備えることで、玄関において靴を履いて全身のコーディネートを確認することができる。
【００２０】
また、全身鏡、化粧パネル、及びフック取付けレールは、それぞれ例えば玄関の石幅木よりも薄くでき、かつそれぞれ隣接して住居内の鉛直面（例えば壁面）に取り付けられるので、機能ボード全体の壁面からの厚みを小さく（例えば１０〜１５ｍｍに）できる。
さらに、全身鏡、化粧パネル、及びフック取付けレールは、それぞれ隣接して壁面に取り付けられ、その隙間が小さい（例えば約１ｍｍ）ので、全体として住居内（例えば玄関）に相応しい美観にすることができる。
【図面の簡単な説明】
【００２１】
【図１】本考案による機能ボードの正面図である。
【図２】図１のＡ−Ａ断面図（Ａ）とＢ−Ｂ断面図（Ｂ）である。
【図３】図１のＣ−Ｃ断面図（Ａ）とＤ−Ｄ断面図（Ｂ）である。
【図４】図１から全身鏡、化粧パネル、フック取付けレール、及び見切り材を除去した図である。
【考案を実施するための形態】
【００２２】
本考案の好ましい実施形態を図面に基づいて説明する。なお、各図において共通する部分には同一の符号を付し、重複した説明を省略する。
【００２３】
図１は、本考案による機能ボード１０の正面図である。
この例において、住居内の鉛直面５は、玄関の壁面である。しかし鉛直面５は、玄関の壁面に限定されず、住居内のその他の壁面あるいは引戸等の扉面であってもよい。以下、鉛直面５を特に必要な場合を除き「壁面５」と呼ぶ。
【００２４】
図１において、１は玄関床面、２はフローリング、３は玄関の石幅木、４は室内の木幅木である。
鉛直面５（壁面５）は、例えば石膏ボードである。また、石幅木３は例えば厚さ約１０〜１５ｍｍ、高さ約１００〜１３０ｍｍの石材であり、土足等による汚れを防止するために設けられている。
【００２５】
図１において、本考案による機能ボード１０は、全身鏡１２、化粧パネル１４、及びフック取付けレール１６を備える。
機能ボード１０は、全体で幅約７６０〜８４０ｍｍ、高さ約１７００〜１９００ｍｍ、厚さ約９〜１３ｍｍである。機能ボード１０の下端は、石幅木３の上端に近接しており、全体が石幅木３の厚さより薄く構成されている。
なおこの構成は必須ではなく、壁面５に機能ボード１０の大きさと同じ凹部を設け、その凹部内に機能ボード１０を設置して壁面５とほぼ面一に構成してもよい。
【００２６】
全身鏡１２は、化粧パネル全体の高さ範囲において隣接して鉛直面５（壁面５）に取り付けられ、玄関において靴を履いて全身のコーディネートを確認できる幅と高さを有する。この例において、全身鏡１２は、幅約１８０〜２２０ｍｍ、高さ約１７００〜１９００ｍｍ、厚さ約４〜８ｍｍのアクリルミラー板である。なお、アクリルミラー板に限定されず、その他の鏡であってもよい。
【００２７】
化粧パネル１４は、全体として等身大の高さで鉛直面５（壁面５）に取り付けられている。化粧パネル１４は、この例では、上下の２枚であるが、１枚でも３枚以上でもよい。
この例において、化粧パネル１４は、幅約５８０〜６２０ｍｍ、高さ約８８０〜９２０ｍｍ、厚さ約８〜１１ｍｍであり、化粧パネル１４と全身鏡１２との隙間（クリアランス）は約１ｍｍである。
化粧パネル１４は、表面が化粧鋼板１４ａからなり、マグネットでその表面に写真、イラスト、メモなどを固定できるようになっている。
化粧鋼板１４ａは、例えば厚さ約０．２〜０．６ｍｍの鋼板であり、その表面に玄関に相応しい色と柄が施されている。鋼板の表面は、オレフィンラッピング仕上げであることが好ましいが、壁面５と同様の壁紙又はクロスでもよい。
【００２８】
フック取付けレール１６は、化粧パネル１４の上端水平部に隣接して壁面５に取り付けられ、壁面５に沿って水平に延びる。またフック取付けレール１６は、小物を吊下げる複数のフック１７を取り付け可能な断面形状を有する。
この例において、フック取付けレール１６は、幅約２８〜３２ｍｍ、長さ約５４０〜５８０ｍｍ、厚さ約８〜１２ｍｍの金属製である。
【００２９】
図２は、図１のＡ−Ａ断面図（Ａ）とＢ−Ｂ断面図（Ｂ）である。
図２（Ａ）に示すように、化粧パネル１４は、矩形形状のケイカル板１５と、ケイカル板１５の裏面を除く外面（表面と４方）を一体で囲む化粧鋼板１４ａとからなる。
ケイカル板１５は、厚さ約５〜８ｍｍの珪酸カルシウム板である。
また、化粧鋼板１４ａは、ケイカル板１５の上端面を囲む化粧鋼板１４ａの部分から壁面５に沿って上方に延びる張出部１４ｂを有する。化粧鋼板１４ａの表面と張出部１４ｂは、厚さ方向に約８〜１１ｍｍの段差が設けられ、張出部１４ｂを壁面５に固定した際に、壁面５とケイカル板１５の裏面との間に隙間（約３ｍｍ）が形成されるように設定されている。
【００３０】
図２（Ａ）において、壁面５である石膏ボードの裏面（図で左側）には、建屋の構造部材として、木下地６が設けられている。
また、フック取付けレール１６は、化粧鋼板１４ａの張出部１４ｂに重ねてその上に位置しており、木ネジ１８により、張出部１４ｂと共に壁面５と木下地６にねじ止めされている。
【００３１】
上述した構成により、フック取付けレール１６を壁面５に強固に固定でき、複数のフック１７を介して多くの小物を掛けることができる。また、化粧パネル１４の張出部１４ｂが、フック取付けレール１６と共に壁面５と木下地６にねじ止めされているので、化粧パネル１４の剥がれを確実に防止することができる。
【００３２】
図２（Ｂ）は、化粧パネル１４が上下の２枚である場合のその境界部分を示している。
この例で、上下の化粧鋼板１４ａは、同一であり、下側の化粧鋼板１４ａも上述した上方に延びる張出部１４ｂを有する。また、下側のフック取付けレール１６は、上側と同様に下側の化粧鋼板１４ａの張出部１４ｂに重ねてその上に位置しており、木ネジ１８により、張出部１４ｂと共に壁面５と木下地６にねじ止めされている。
さらに、図２（Ｂ）において、下側の張出部１４ｂの上端は、上側の化粧鋼板１４ａの下端に重なってその下に位置している。
【００３３】
この構成により、下側の張出部１４ｂの上端が、上側の化粧鋼板１４ａの下端で隠れて露出しないので、上下の化粧鋼板１４ａが一体に見え、化粧鋼板１４ａを玄関に相応しい美観にすることができる。
【００３４】
図３は、図１のＣ−Ｃ断面図（Ａ）とＤ−Ｄ断面図（Ｂ）である。
図３（Ａ）（Ｂ）に示すように、本考案の機能ボード１０は、３本の鉛直に延びる見切り材１９を有する。
【００３５】
３本の見切り材１９は、全身鏡１２と化粧パネル１４の間、及び全身鏡１２と化粧パネル１４の幅方向外端に位置し、壁面５に沿って鉛直に固定される。
見切り材１９は、好ましくはＬ字形のステンレス材であり、幅約１２〜１８ｍｍ、奥行き約８〜１２ｍｍ、厚さ約０．４〜０．８ｍｍである。見切り材１９は、見切り固定ビス（図示せず）により、Ｌ字形の長い方の平面部が壁面５に密着してねじ止めされ、短い方の平面部が壁面５に対し直交して位置する。
【００３６】
この構成により、壁面５に鉛直に固定された３本の見切り材１９の間に、全身鏡１２と化粧パネル１４を嵌め込んで壁面５に取り付けることにより、全身鏡１２と化粧パネル１４の取り付けが容易にできる。また、全身鏡１２と化粧パネル１４の間のクリアランスは短く（約１ｍｍ）、その間に見切り材１９の端面（厚さ０．４〜０．８ｍｍ）のみが見えるので、全身鏡１２と化粧パネル１４の接続部の美観を高めることができる。
【００３７】
同様に、全身鏡１２と化粧パネル１４の幅方向外端も、見切り材１９の端面（厚さ０．４〜０．８ｍｍ）のみが密着して見えるので、幅方向外端の美観を高めることができる。
【００３８】
図４は、図１から全身鏡１２、化粧パネル１４、フック取付けレール１６、及び見切り材１９を除去した図である。
この図において、２０は両面テープ、２１はシリコンボンドである。
両面テープ２０は、発泡プラスチック製（好ましくは発泡ポリエチレン製）の平板であり、その両面に接着剤が塗布されている。両面テープ２０の厚さは、例えば約３ｍｍである。またその大きさは、全身鏡１２と化粧パネル１４を壁面５に確実に固定できるように設定されている。
また、シリコンボンド２１は、シリコン製の接着剤であり、両面テープ２０による固定を補強するために設けられている。
【００３９】
上述した構成により、壁面５からの厚さは、全身鏡１２が約７〜１１ｍｍ、化粧パネル１４が約８〜１１ｍｍ、フック取付けレール１６が約８〜１２ｍｍとなる。従って、全身鏡１２、化粧パネル１４、及びフック取付けレール１６は、実質的にほぼ同一の厚さであり、全体をすっきり見せることができる。
【００４０】
また本考案の構成によれば、表面が化粧鋼板１４ａからなる化粧パネル１４を備えているので、マグネットを用いて写真やメモなどを貼って玄関等を飾ることができる。さらに、化粧鋼板１４ａは内装家具との色柄合わせが可能である。
さらに、フック取付けレール１６を備えているので、コート、帽子、靴べら、日傘、子供用品などを掛けることができる。
【００４１】
また、住居内の鉛直面５（例えば、玄関の壁面５）に取り付けられた機能ボード１０に全身鏡１２を備えることで、玄関において靴を履いて全身のコーディネートを確認することができる。
【００４２】
また、全身鏡１２、化粧パネル１４、及びフック取付けレール１６は、それぞれ玄関の石幅木３よりも薄くでき、かつそれぞれ隣接して住居内の鉛直面５（例えば壁面５）に取り付けられるので、機能ボード１０の壁面５からの厚みを小さく（例えば１０〜１５ｍｍに）できる。
【００４３】
さらに、全身鏡１２、化粧パネル１４、及びフック取付けレール１６は、それぞれ隣接して壁面５に取り付けられ、その隙間が小さい（例えば約１ｍｍ）ので、全体として住居内（例えば玄関）に相応しい美観にすることができる。
【００４４】
なお本考案は上述した実施形態に限定されず、本考案の要旨を逸脱しない範囲で種々変更を加え得ることは勿論である。
例えば、鏡については、全身鏡１２としたが、等身大の高さに設定し、上半身のみ確認できるものとし、その鏡の高さ方向の寸法に合わせて化粧パネル１４、及びフック取付けレール１６を隣接してもよい。
【符号の説明】
【００４５】
１  玄関床面、２  フローリング、３  玄関の石幅木、４  室内の木幅木、
５  鉛直面（壁面）、６  木下地、１０  機能ボード、１２  全身鏡、
１４  化粧パネル、１４ａ  化粧鋼板、１４ｂ  張出部、１５  ケイカル板、
１６  フック取付けレール、１７  フック、１８  木ネジ、１９  見切り材、
２０  両面テープ、２１  シリコンボンド
【図２】
0003191777.tif 000003
【図３】
0003191777.tif 000004
【図４】
0003191777.tif 000005
【図１】
0003191777.tif 000006